(57)【要約】【課題】略同一の形状および幅寸法で幅広い種類の対象物を数多く挟み留めることができるとともに、挟み留めるべき対象物の種類やその数にかかわらず挟持力を略一定に保つことができる抜き差しし易い安価なクリップを提供する。【解決手段】本発明の一実施形態に係るクリップ１は、挟み留めるべき対象物２０を複数の付勢部４，５からの分散挟圧によって所定の支持点Ｐ１，Ｐ２，Ｐ３で支持する。付勢部４は折り返し部で形成し、もう１つの付勢部５は蛇腹状の山部で形成することができる。【選択図】  図１
2011033184.tif 000002
【特許請求の範囲】
【請求項１】
対象物を抜き差し自在に挟み留めるためのクリップであって、挟み留めるべき対象物を複数の付勢部からの分散挟圧によって所定の支持点で支持することを特徴とするクリップ。
【請求項２】
板材を略Ｕ字状に折り返すことにより形成されるクリップ本体と、
前記クリップ本体を形成し、前記付勢部によって閉じる方向に付勢される拡開可能な一対の脚部と、
を有し、
前記付勢部は、前記脚部の一部を蛇腹状に屈曲形成して成るバネ力を付与する第１のバネ付勢部と、前記クリップ本体の折り返し部によって形成されるバネ力を付与する第２のバネ付勢部とを有するとともに、第１および第２のバネ付勢部によって一対の脚部を閉じる方向に付勢することにより、挟み留めるべき対象物が対向する両方の脚部上の複数の異なる支持点に対して付勢されて支持されるようにする、
ことを特徴とする請求項１に記載のクリップ。
【請求項３】
対象物を抜き差し自在に挟み留めるためのクリップであって、請求項１または請求項２に記載の複数のクリップが分離自在に結合されて成ることを特徴とするクリップ。
【発明の詳細な説明】
【技術分野】
【０００１】
本発明は、紙、ファイル、メジャー、ペンなどを含む対象物を抜き差し自在に挟み留めるためのクリップに関する。
【背景技術】
【０００２】
従来から、特に紙やファイルなどを束ねて挟み留めるためのクリップは良く知られている。そのようなクリップは、様々な構造・形態のものが数多く提案されているが、一般的には、一対の挟持部を拡開させることにより、それらの挟持部間に対象物を挟み留めるようになっている（例えば、特許文献１参照）。
【先行技術文献】
【特許文献】
【０００３】
【特許文献１】特開平１１−１３９０５７号公報
【発明の概要】
【発明が解決しようとする課題】
【０００４】
ところで、従来から市場に提供されてきたクリップは、一般に、挟み留めるべき対象物や数に応じて、形状、幅、機構等がある程度異なっていた。すなわち、例えば枚数の多い紙束や厚手の硬質ファイルなどの対象物を挟み留めるためには、幅の大きい挟持力の強いクリップが使用され、一方、枚数の少ない紙束や薄手の軟質なファイルなどの対象物を挟み留めるためには、幅の小さい挟持力の弱いクリップが使用されている。
【０００５】
また、従来のクリップでは、その機構や形状等に起因して、１つ（１種類）のクリップ毎に、拡開度合いに限度があり、したがって、挟み留めることができる対象物の数も限られていた。また、この場合、挟み留める対象物の数が増大すればするほど、挟持力も必然的に大きくなり、したがって、挟み込んでいる対象物を局所的に過度に圧迫して傷付けてしまう場合もあった。また、挟み留める対象物の数が増大すればするほど、クリップを拡開するために必要な力も大きくなり、クリップに対する対象物の抜き差しが困難となる場合もあった。
【０００６】
本発明は、前記事情に着目してなされたものであり、その目的とするところは、略同一の形状および幅寸法で幅広い種類の対象物を数多く挟み留めることができるとともに、挟み留めるべき対象物の種類やその数にかかわらず挟持力を略一定に保つことができる抜き差しし易い安価なクリップを提供することにある。
【課題を解決するための手段】
【０００７】
前記課題を解決するために、請求項１に記載の発明は、対象物を抜き差し自在に挟み留めるためのクリップであって、挟み留めるべき対象物を複数の付勢部からの分散挟圧によって所定の支持点で支持することを特徴とする。
【０００８】
この請求項１に記載の発明によれば、複数の付勢部からの分散挟圧によって対象物を挟み留めるための挟持力が分散されるため、挟み込んでいる対象物を局所的に過度に圧迫して傷付けてしまうことがなく、クリップに対する対象物の抜き差しがし易くなるとともに、挟み留めるべき対象物の種類やその数にかかわらず挟持力を略一定に保つことができる。また、複数の付勢部によって対象物を支持点に対して押し付けて支持するため、安定した挟持力を得ることができ、同じ形状で幅広い用途に適用できるとともに、クリップ材料の材質によって機能が大きく左右されない。そのため、金属や樹脂を含む様々な材料によってクリップを形成することができる（例えば、リサイクル回収が容易であるため、リサイクル材で安価に製造（再生）できる）とともに、略同一の形状および幅寸法であっても幅広い種類の対象物を数多く挟み留めることができる。
【０００９】
また、請求項２に記載の発明は、請求項１に記載の発明において、板材を略Ｕ字状に折り返すことにより形成されるクリップ本体と、前記クリップ本体を形成し、前記付勢部によって閉じる方向に付勢される拡開可能な一対の脚部とを有し、前記付勢部は、前記脚部の一部を蛇腹状に屈曲形成して成るバネ力を付与する第１のバネ付勢部と、前記クリップ本体の折り返し部によって形成されるバネ力を付与する第２のバネ付勢部とを有するとともに、第１および第２のバネ付勢部によって一対の脚部を閉じる方向に付勢することにより、挟み留めるべき対象物が対向する両方の脚部上の複数の異なる支持点に対して付勢されて支持されるようにすることを特徴とする。
【００１０】
この請求項２に記載の発明によれば、請求項１に記載の発明と同様の作用効果が得られるとともに、第１および第２のバネ付勢部によって一対の脚部を閉じる方向に付勢することにより、対向する両方の脚部上の複数の異なる支持点で対象物を支持するため、挟み留めることができる対象物の数を多く設定するべく脚部同士の開口幅（対象物を一対の脚部間に導入するために一対の脚部端に形成される導入開口の幅）をある程度大きくても、あるいは、挟持空間の幅をある程度大きくても、対象物を確実且つ安定に挟持できる。
【００１１】
また、請求項３に記載の発明は、対象物を抜き差し自在に挟み留めるためのクリップであって、請求項１または請求項２に記載の複数のクリップが分離自在に結合されて成ることを特徴とする。
【００１２】
この請求項３に記載の発明によれば、請求項１または請求項２に記載の発明と同様の作用効果が得られるとともに、様々な幅の対象物を同時に混在した状態で挟み留めることができるとともに、状況に応じて分離して個別に使用することもでき、状況に応じた使い分けをすることができ、機能性および適応性に優れる。
【発明の効果】
【００１３】
本発明によれば、略同一の形状および幅寸法で幅広い種類の対象物を数多く挟み留めることができるとともに、挟み留めるべき対象物の種類やその数にかかわらず挟持力を略一定に保つことができる抜き差しし易い安価なクリップを提供することができる。
【図面の簡単な説明】
【００１４】
【図１】本発明の第１の実施形態に係るクリップを示しており、（ａ）はクリップの平面図、（ｂ）はクリップの側面図、（ｃ）はクリップの正面図である。
【図２】図１のクリップの作用を説明するための斜視図である。
【図３】本発明の第２の実施形態に係るクリップを示しており、（ａ）はクリップの平面図、（ｂ）はクリップの側面図、（ｃ）はクリップの正面図である。
【図４】図３のクリップの作用を説明するための斜視図である。
【図５】本発明の第３の実施形態に係るクリップを示しており、（ａ）はクリップの平面図、（ｂ）はクリップの側面図、（ｃ）はクリップの正面図である。
【図６】図５のクリップの作用を説明するための斜視図である。
【図７】本発明の第４の実施形態に係るクリップを示しており、（ａ）はクリップの平面図、（ｂ）はクリップの側面図、（ｃ）はクリップの正面図である。
【図８】図７のクリップの作用を説明するための斜視図である。
【図９】本発明の第５の実施形態に係るクリップを示しており、（ａ）はクリップの平面図、（ｂ）はクリップの側面図、（ｃ）はクリップの正面図である。
【図１０】図９のクリップの作用を説明するための斜視図である。
【図１１】本発明の第６の実施形態に係るクリップを示しており、（ａ）はクリップの斜視図、（ｂ）はクリップに対象物及び紐状部材が保持された状態を示す斜視図である。
【図１２】本実施形態に係るクリップの側面図である。
【図１３】本実施形態に係るクリップの使用例を説明するための正面模式図である。
【発明を実施するための形態】
【００１５】
以下、添付図面を参照して、本発明の実施形態について具体的に説明する。
図１および図２は本発明の第１の実施形態に係るクリップ１を示している。図示のように、本実施形態のクリップ１は、挟み留めるべき紙やファイルなどの対象物２０を抜き差し自在に挟み留めるために使用されるものであり、対象物２０を２つの付勢部４，５からの分散挟圧によって３つの支持点Ｐ１，Ｐ２，Ｐ３で支持するようになっている。
【００１６】
具体的には、クリップ１は、金属や樹脂などの板材を略Ｕ字状に折り返すことにより形成されるクリップ本体から成る。このクリップ本体は、拡開可能な一対の脚部２，３と、一対の脚部２，３同士を接続する所定の曲率の折り返し部４とから成り、また、折り返し部４は、脚部２，３にバネ力を付与する前述した付勢部の一方（第２のバネ付勢部）４を形成している。
【００１７】
また、一方の第１の脚部２は、その途中に、前述した他方の付勢部５を有している。この付勢部５は、脚部２の一部を蛇腹状に屈曲形成して成るものであり、脚部２にバネ力を付与する第１のバネ付勢部として機能する。なお、本実施形態において、第１のバネ付勢部５は、波状に並ぶ形状寸法がほぼ同じ４つの山部（凸部）５ａから構成されている。
【００１８】
また、本実施形態において、第１の脚部２は、蛇腹状の第１のバネ付勢部５からクリップの内側に向けて斜めに延びる第１の屈曲部２ａを有し、一方、第２の脚部３は、第２のバネ付勢部である折り返し部４から第１のバネ付勢部５へ向けてクリップの内側へと延びた後、第１のバネ付勢部５の略中間位置からクリップの外側へと第１の屈曲部２ａと略平行に延びる第２の屈曲部３ａを形成しており、これにより、屈曲部２ａ，３ａ間にクリップ開口１２が形成されるとともに、脚部２，３間に対象物２０を挟み留めるための挟持空間Ｓが形成される。なお、挟持空間Ｓは、第２のバネ付勢部である折り返し部４の内側で最大幅に設定される。
【００１９】
また、本実施形態において、第１および第２のバネ付勢部５，４は、協働して、一対の脚部２，３を閉じる方向に付勢しており、そのように付勢することにより、挟み留めるべき対象物２０が対向する両方の脚部２，３上の３つの異なる支持点Ｐ１，Ｐ２，Ｐ３に対して付勢されて支持されるようにする。具体的には、本実施形態では、図１の（ｂ）および図２に明確に示されるように、対象物２０は、クリップ開口１２付近で第１の脚部２の第１の屈曲部２ａ上に位置する第１の支持点Ｐ１で支持されるとともに、第１の脚部２と対向する第２の脚部３上（第１のバネ付勢部５と対向する部位）の第２の支持点Ｐ２で支持され、また、折り返し部４付近で第１の脚部２上の第３の支持点Ｐ３で支持される。つまり、対象物２０は、互い違いに位置して三角形の頂点を形成するように配置される３つの異なる支持点Ｐ１，Ｐ２，Ｐ３に対して付勢されて支持される。
【００２０】
なお、本実施形態において、クリップ１の挟持力は、蛇腹の数（第１のバネ付勢部５の山部５ａの数）や折り返し部４の曲率（挟持空間Ｓの設定幅）によって調整できる。
【００２１】
以上のように、本実施形態のクリップ１によれば、２つの付勢部４，５からの分散挟圧によって対象物２０を挟み留めるための挟持力が分散されるため、挟み込んでいる対象物２０を局所的に過度に圧迫して傷付けてしまうことがなく、クリップ１に対する対象物２０の抜き差しがし易くなるとともに、挟み留めるべき対象物２０の種類やその数にかかわらず挟持力を略一定に保つことができる。また、２つの付勢部４，５によって対象物２０を３つの支持点Ｐ１，Ｐ２，Ｐ３に対して押し付けて支持するため、安定した挟持力を得ることができ、同じ形状で幅広い用途に適用できるとともに、クリップ材料の材質によって機能が大きく左右されない。そのため、金属や樹脂を含む様々な材料によってクリップを形成することができる（例えば、リサイクル回収が容易であるため、リサイクル材で安価に製造（再生）できる）とともに、略同一の形状および幅寸法であっても幅広い種類の対象物２０を数多く挟み留めることができる。特に、本実施形態では、第１および第２のバネ付勢部５，４によって一対の脚部２，３を閉じる方向に付勢することにより、対向する両方の脚部２，３上の３つの異なる支持点Ｐ１，Ｐ２，Ｐ３で対象物２０を支持するため、対象物２０の数を多く設定するべく脚部２，３同士の開口１２の幅（対象物を一対の脚部間に導入するために一対の脚部端に形成される導入開口の幅）をある程度大きくても、あるいは、挟持空間Ｓの幅をある程度大きくても、対象物２０を確実且つ安定に挟持できる。
【００２２】
図３および図４は本発明の第２の実施形態に係るクリップ３０を示している。図示のように、本実施形態のクリップ３０は、挟み留めるべき紙やファイルなどの対象物４０を抜き差し自在に挟み留めるために使用されるものであり、対象物４０を２つの付勢部３４，３５からの分散挟圧によって３つの支持点Ｐ１，Ｐ２，Ｐ３で支持するようになっている。
【００２３】
具体的には、クリップ３０は、金属や樹脂などの板材を略Ｕ字状に折り返すことにより形成されるクリップ本体から成る。このクリップ本体は、拡開可能な一対の脚部３２，３３と、一対の脚部３２，３３同士を接続する所定の曲率の折り返し部３４とから成り、また、折り返し部３４は、脚部３２，３３にバネ力を付与する前述した付勢部の一方（第２のバネ付勢部）３４を形成している。
【００２４】
また、一方の第１の脚部３３は、その途中に、前述した他方の付勢部３５を有している。この付勢部３５は、脚部３３の一部を蛇腹状に屈曲形成して成るものであり、脚部３３にバネ力を付与する第１のバネ付勢部として機能する。なお、本実施形態において、第１のバネ付勢部３５は、波状に並ぶ大きさの異なる２つの山部（凸部）３５ａから構成されている。
【００２５】
また、本実施形態において、第１の脚部３３は、蛇腹状の第１のバネ付勢部３５から対向する第２の脚部３２にほぼ至るまでクリップの内側に向けて延びた後に直線状に延在し、一方、第２の脚部３２は、第２のバネ付勢部である折り返し部３４から略円弧状を成してクリップの内側へと延びた後に第１の脚部３３の直線延在部分と合流するように終端しており、これにより、脚部３２，３３間に幅狭のクリップ開口４２が形成されるとともに、脚部３２，３３間に対象物４０を挟み留めるための挟持空間Ｓが形成される。
【００２６】
また、本実施形態において、第１および第２のバネ付勢部３５，３４は、協働して、一対の脚部３２，３３を閉じる方向に付勢しており、そのように付勢することにより、挟み留めるべき対象物４０が対向する両方の脚部３２，３３上の３つの異なる支持点Ｐ１，Ｐ２，Ｐ３に対して付勢されて支持されるようにする。具体的には、本実施形態では、図３の（ｂ）および図４に明確に示されるように、対象物４０は、クリップ開口４２付近で第２の脚部３２上に位置する第１の支持点Ｐ１で支持されるとともに、第２の脚部３２と対向する第１の脚部３３の第１のバネ付勢部３５上の第２の支持点Ｐ２で支持され、また、折り返し部３４付近で第１の脚部３３上の第３の支持点Ｐ３で支持される。つまり、対象物４０は、ほぼ三角形の頂点を形成するように配置される３つの異なる支持点Ｐ１，Ｐ２，Ｐ３に対して付勢されて支持される。
【００２７】
なお、本実施形態においても、クリップ３０の挟持力は、蛇腹の数（第１のバネ付勢部３５の山部３５ａの数）や折り返し部３４の曲率（挟持空間Ｓの設定幅）によって調整できる。
【００２８】
以上のように、本実施形態のクリップ３０も、２つの付勢部３４，３５からの分散挟圧によって対象物４０を挟み留めるための挟持力が分散されるため、挟み込んでいる対象物４０を局所的に過度に圧迫して傷付けてしまうことがなく、クリップ３０に対する対象物４０の抜き差しがし易くなるとともに、挟み留めるべき対象物４０の種類やその数にかかわらず挟持力を略一定に保つことができる。また、２つの付勢部３４，３５によって対象物４０を３つの支持点Ｐ１，Ｐ２，Ｐ３に対して押し付けて支持するため、安定した挟持力を得ることができ、同じ形状で幅広い用途に適用できるとともに、クリップ材料の材質によって機能が大きく左右されない。そのため、金属や樹脂を含む様々な材料によってクリップを形成することができる（例えば、リサイクル回収が容易であるため、リサイクル材で安価に製造（再生）できる）とともに、略同一の形状および幅寸法であっても幅広い種類の対象物４０を数多く挟み留めることができる。つまり、第１の実施形態と同様の作用効果を得ることができる。
【００２９】
図５および図６は本発明の第３の実施形態に係るクリップ５０を示している。図示のように、本実施形態のクリップ５０は、挟み留めるべき紙やファイルなどの対象物６０を抜き差し自在に挟み留めるために使用されるものであり、対象物６０を２つの付勢部５４，５５からの分散挟圧によって３つの支持点Ｐ１，Ｐ２，Ｐ３で支持するようになっている。
【００３０】
具体的には、クリップ５０は、金属や樹脂などの板材を略Ｕ字状に折り返すことにより形成されるクリップ本体から成る。このクリップ本体は、拡開可能な一対の脚部５２，５３と、一対の脚部５２，５３同士を接続する所定の曲率の折り返し部５４とから成り、また、折り返し部５４は、脚部５２，５３にバネ力を付与する前述した付勢部の一方（第２のバネ付勢部）５４を形成している。
【００３１】
また、一方の第１の脚部５２は、その途中に、前述した他方の付勢部５５を有している。この付勢部５５は、脚部５２の一部を蛇腹状に屈曲形成して成るものであり、脚部５２にバネ力を付与する第１のバネ付勢部として機能する。なお、本実施形態において、第１のバネ付勢部５５は、波状に並ぶ形状寸法がほぼ同じ４つの山部（凸部）５５ａから構成されている。
【００３２】
また、本実施形態において、第１の脚部５２は、蛇腹状の第１のバネ付勢部５５からクリップの外側に向けて斜めに延びる第１の屈曲部５２ａを有し、一方、第２の脚部５３は、第２のバネ付勢部である折り返し部５４から第１の脚部５２と略平行に延びた後、第１の脚部５２の第１の屈曲部５２ａと合流するようにクリップの内側へ向けて延びて第１の屈曲部５２ａと接触し、その後、その接触点からクリップの外側へと斜めに延びて第２の屈曲部５３ａを形成しており、これにより、屈曲部５２ａ，５３ａ間に常時閉じられるクリップ開口６２が形成されるとともに、脚部５２，５３間に対象物６０を挟み留めるための挟持空間Ｓが形成される。なお、挟持空間Ｓは、第２のバネ付勢部である折り返し部５４の内側で最大幅に設定される。
【００３３】
また、本実施形態において、第１および第２のバネ付勢部５５，５４は、協働して、一対の脚部５２，５３を閉じる方向に付勢しており、そのように付勢することにより、挟み留めるべき対象物６０が対向する両方の脚部５２，５３上の３つの異なる支持点Ｐ１，Ｐ２，Ｐ３に対して付勢されて支持されるようにする。具体的には、本実施形態では、図５の（ｂ）および図６に明確に示されるように、対象物６０は、クリップ開口６２の接触点（屈曲部５２ａ，５３ａ同士の接触点）に位置する第１の支持点Ｐ１で支持されるとともに、第２の脚部５３の第２の屈曲部５３ａ上（第１のバネ付勢部５５とほぼ対向する部位）の第２の支持点Ｐ２で支持され、また、第１のバネ付勢部５５の端縁付近で第１の脚部５２上の第３の支持点Ｐ３で支持される。つまり、対象物６０は、互い違いに位置して三角形の頂点を形成するように配置される３つの異なる支持点Ｐ１，Ｐ２，Ｐ３に対して付勢されて支持される。
【００３４】
なお、本実施形態において、クリップ５０の挟持力は、蛇腹の数（第１のバネ付勢部５５の山部５５ａの数）や折り返し部５４の曲率（挟持空間Ｓの設定幅）によって調整できる。
【００３５】
以上のように、本実施形態のクリップ５０も、２つの付勢部５４，５５からの分散挟圧によって対象物６０を挟み留めるための挟持力が分散されるため、挟み込んでいる対象物６０を局所的に過度に圧迫して傷付けてしまうことがなく、クリップ５０に対する対象物６０の抜き差しがし易くなるとともに、挟み留めるべき対象物６０の種類やその数にかかわらず挟持力を略一定に保つことができる。また、２つの付勢部５４，５５によって対象物６０を３つの支持点Ｐ１，Ｐ２，Ｐ３に対して押し付けて支持するため、安定した挟持力を得ることができ、同じ形状で幅広い用途に適用できるとともに、クリップ材料の材質によって機能が大きく左右されない。そのため、金属や樹脂を含む様々な材料によってクリップを形成することができる（例えば、リサイクル回収が容易であるため、リサイクル材で安価に製造（再生）できる）とともに、略同一の形状および幅寸法であっても幅広い種類の対象物６０を数多く挟み留めることができる。つまり、第１の実施形態と同様の作用効果を得ることができる。
【００３６】
図７および図８は、本発明の第４の実施形態に係るクリップ７０を示している。図示のように、本実施形態のクリップ７０は、第３の実施形態に係る複数（図では６個）のクリップ５０が分離ライン９９で分離自在となるように結合されることによって構成される（なお、図では、クリップ５０の第１のバネ付勢部５５の山部５５ａが３つであるが、４つでも良いことは言うまでもない）。
【００３７】
このような構成のクリップ７０によれば、第３の実施形態と同様の作用効果が得られるとともに、幅の異なる対象物６０Ａ，６０Ｂ（図８参照）を同時に混在した状態で挟み留めることができるとともに、状況に応じて分離して個別に使用することもでき、状況に応じた使い分けをすることができ、機能性および適応性に優れる。
【００３８】
図９および図１０は本発明の第５の実施形態に係るクリップ９０を示している。図示のように、本実施形態のクリップ９０は、第３の実施形態に係るクリップ５０と類似しているが、その幅がクリップ５０よりも広くなっている。
【００３９】
具体的には、クリップ９０は、金属や樹脂などの板材を略Ｕ字状に折り返すことにより形成されるクリップ本体から成る。このクリップ本体は、拡開可能な一対の脚部９２，９３と、一対の脚部９２，９３同士を接続する所定の曲率の折り返し部９４とから成り、また、折り返し部９４は、脚部９２，９３にバネ力を付与する前述した付勢部の一方（第２のバネ付勢部）９４を形成している。
【００４０】
また、一方の第１の脚部９２は、その途中に、前述した他方の付勢部９５を有している。この付勢部９５は、脚部９２の一部を蛇腹状に屈曲形成して成るものであり、脚部９２にバネ力を付与する第１のバネ付勢部として機能する。なお、本実施形態において、第１のバネ付勢部９５は、波状に並ぶ形状寸法がほぼ同じ４つの山部（凸部）９５ａから構成されている。
【００４１】
また、本実施形態において、第１の脚部９２は、蛇腹状の第１のバネ付勢部９５からクリップの外側に向けて斜めに延びる第１の屈曲部９２ａを有し、一方、第２の脚部９３は、第２のバネ付勢部である折り返し部９４から第１の脚部９２と略平行に延びた後、第１の脚部９２の第１の屈曲部９２ａと合流するようにクリップの内側へ向けて延びて第１の屈曲部９２ａと接触し、その後、その接触点からクリップの外側へと斜めに延びて第２の屈曲部９３ａを形成しており、これにより、屈曲部９２ａ，９３ａ間に常時閉じられるクリップ開口１０２が形成されるとともに、脚部９２，９３間に対象物１００を挟み留めるための挟持空間Ｓが形成される。なお、挟持空間Ｓは、第２のバネ付勢部である折り返し部９４の内側で最大幅に設定される。
【００４２】
また、本実施形態において、第１および第２のバネ付勢部９５，９４は、協働して、一対の脚部９２，９３を閉じる方向に付勢しており、そのように付勢することにより、挟み留めるべき対象物１００が対向する両方の脚部９２，９３上の３つの異なる支持点Ｐ１，Ｐ２，Ｐ３に対して付勢されて支持されるようにする。具体的には、本実施形態では、図９の（ｂ）および図１０に明確に示されるように、対象物１００は、クリップ開口１０２の接触点（屈曲部９２ａ，９３ａ同士の接触点）に位置する第１の支持点Ｐ１で支持されるとともに、第２の脚部９３の第２の屈曲部９３ａ上（第１のバネ付勢部９５とほぼ対向する部位）の第２の支持点Ｐ２で支持され、また、第１のバネ付勢部９５の端縁付近で第１の脚部９２上の第３の支持点Ｐ３で支持される。つまり、対象物１００は、互い違いに位置して三角形の頂点を形成するように配置される３つの異なる支持点Ｐ１，Ｐ２，Ｐ３に対して付勢されて支持される。
【００４３】
なお、本実施形態において、クリップ９０の挟持力は、蛇腹の数（第１のバネ付勢部９５の山部９５ａの数）や折り返し部９４の曲率（挟持空間Ｓの設定幅）によって調整できる。
【００４４】
以上のように、本実施形態のクリップ９０も、２つの付勢部９４，９５からの分散挟圧によって対象物１００を挟み留めるための挟持力が分散されるため、挟み込んでいる対象物１００を局所的に過度に圧迫して傷付けてしまうことがなく、クリップ９０に対する対象物１００の抜き差しがし易くなるとともに、挟み留めるべき対象物１００の種類やその数にかかわらず挟持力を略一定に保つことができる。また、２つの付勢部９４，９５によって対象物１００を３つの支持点Ｐ１，Ｐ２，Ｐ３に対して押し付けて支持するため、安定した挟持力を得ることができ、同じ形状で幅広い用途に適用できるとともに、クリップ材料の材質によって機能が大きく左右されない。そのため、金属や樹脂を含む様々な材料によってクリップを形成することができる（例えば、リサイクル回収が容易であるため、リサイクル材で安価に製造（再生）できる）とともに、略同一の形状および幅寸法であっても幅広い種類の対象物１００を数多く挟み留めることができる。つまり、第１の実施形態と同様の作用効果を得ることができる。
【００４５】
次に、本発明の第６の実施形態に係るクリップについて説明する。図１１（ａ）は、本実施形態に係るクリップを示す斜視図であり、（ｂ）はクリップに対象物及び紐状部材が保持された状態を示す斜視図である。図１２は、本実施形態に係るクリップの側面図である。図１３は、本実施形態に係るクリップの使用例を説明するための正面模式図であり、（ａ）はクリップを衣服に装着した状態を示し、（ｂ）は衣服に装着されたクリップ近傍の拡大図である。本実施形態のクリップ１１０は、挟み留めるべき衣服等の布、合成繊維及び紙等の対象物１２０を抜き差し自在に挟み留めると共に、イヤホンコードやケーブル等の紐状部材１２１を挿通自在に保持するものであり、対象物１２０を２つの付勢部１１１，１１４からの分散狭圧によって支持すると共に紐状部材１２１を保持するようになっている。
【００４６】
具体的には、図１１及び図１２に示すように、クリップ１１０は、金属又は樹脂などの弾性材料からなる板材を略Ｕ字状に折り返した形状のクリップ本体から成る。このクリップ本体は、拡開可能な一対の脚部１１２，１１３と、一対の脚部１１２，１１３同士を接続する折り返し部１１１と、から構成される。折り返し部１１１は、所定の曲率を有しており、脚部１１２，１１３にバネ力を付与する付勢部の一方（第２のバネ付勢部）として機能する。
【００４７】
一方の脚部１１２は、折り返し部１１１から他方の脚部１１３に向かって延びた後、屈曲して他方の脚部１１３から離れるように延在するように形成されており、脚部１１２の延在方向の途中に、付勢部１１４が設けられている。この脚部１１２と他方の脚部１１３の先端部間にはクリップ開口１１６が形成されると共に、脚部１１２，１１３間には対象物１２０を挟み留めるための挟持空間Ｓが形成される。なお、挟持空間Ｓは、第２のバネ付勢部である折り返し部１１１の内側で最大幅に設定される。また、クリップ本体は、折り返し部１１１、脚部１１２及び脚部１１３等を別体に形成してもよく、又は一体に形成してもよい。
【００４８】
付勢部１１４は、脚部１１２の一部を屈曲させて形成され、対峙するように形成された２つの屈曲部１１４ａ，１１４ｂと、２つの屈曲部１１４ａ，１１４ｂに接続する湾曲部１１４ｃとから構成されている。この付勢部１１４は、脚部１１２にバネ力を付与する第１のバネ付勢部として機能すると共に、紐状部材１２１を保持する保持手段としても機能する。屈曲部１１４ａは、折り返し部１１１から延在する脚部１１２を、対向する脚部１１３から離間する外方に輪状に屈曲させている。湾曲部１１４ｃは、側面視略円形状に形成され、一端部が屈曲部１１４ａに接続されると共に他端部が屈曲部１１４ｂに接続されている。屈曲部１１４ｂは、湾曲部１１４ｃの他端を屈曲させて、脚部１１２を対向する脚部１１３から徐々に離間する方向に延在させている。
【００４９】
また、脚部１１３との対向面側において、屈曲部１１４ａ，１１４ｂ及び湾曲部１１４ｃの内面には、脚部１１２の幅方向に沿って延在する略筒状の保持空間Ｓ１が形成されており、この保持空間Ｓ１内で、紐状部材１２１が脚部１１２の幅方向に挿通自在に保持される。すなわち、屈曲部１１４ａ，１１４ｂ及び湾曲部１１４ｃの内面部１１４ｄは、紐状部材１２１を保持する保持手段として機能する。対峙する２つの屈曲部１１４ａ，１１４ｂ間は、保持空間Ｓ１の内径よりも幅狭に形成され、通常の保持状態において、紐状部材１２１が屈曲部１１４ａ，１１４ｂに接触した程度では、紐状部材１２１が当該屈曲部１１４ａ，１１４ｂ間から容易に抜け出ることがない（脱落することがない）程度の保持力を有することが望ましい。保持空間Ｓ１内への紐状部材１２１の出し入れの際には、紐状部材１２１により押し広げられて屈曲部１１４ａ，１１４ｂが外方に僅かに撓み、保持空間Ｓ１内に紐状部材１２１が入り込む、又は抜け出るように構成されている。このような保持力を有することにより、保持空間Ｓ１内に保持された紐状部材１２１は、保持空間Ｓ１外に容易に脱落することなく確実に保持される。また、本実施形態では、湾曲部１１４ｃを略円形状に湾曲させて保持空間Ｓ１を形成したが、保持空間Ｓ１の形状はこれに限定されるものではなく、保持空間Ｓ１内部で紐状部材１２１を保持可能であって、保持空間Ｓ１内の対向する内面間の距離よりも屈曲部１１４ａ，１１４ｂ間の距離が狭いものであればよい。さらに、本実施形態では、１つの湾曲部１１４ｃを設ける構成としたが、上記実施形態のように複数の湾曲部１１４ｃを蛇腹状に設け、複数の保持空間Ｓ１を形成する構成も可能である。この場合、クリップ１１０の挟持力は、蛇腹の数（第１のバネ付勢部１１４の湾曲部１１４ｃの数）や折り返し部１１１の曲率（挟持空間Ｓの設定幅）によって調整可能である。
【００５０】
図１３に示すように、他方の脚部１１３は、任意の形状に形成可能であり、クリップ本体の装着の際に正面側に位置して装飾用部材として機能する。本実施形態では、脚部１１３は、折り返し部１１１から屈曲することなく直線状に延在するように形成され、正面視略ハート形状に形成されている。なお、脚部１１３の形状はこの構成に限定されるものではなく、例えば、脚部１１３全体を、企業等のロゴ、商品等のマーク、動物及び野菜等のキャラクタの形状に模し、立体的又は平面的に形成することが可能である。また，脚部１１３の正面側を平面状に形成し、この正面部１１３ａにシール等を貼り付けて装飾を施すようにしてもよい。このように構成された脚部１１３は、対象物１２０となる衣服等のポケット部分などに、装飾部分が外部から視認可能な状態で装着される。これにより、クリップ１１０を衣服等の対象物１２０に装着した際の意匠性を向上させることができる。なお、図１３では、クリップ１１０をシャツの表前立部分に装着した場合を示しているが、シャツ又はパンツのポケット部分や、シャツよりも厚い生地で構成されるコート等、又は鞄等のポケット部分やハンドル部分に装着することが可能である。これは、本実施形態に係るクリップ１１０が、複数の付勢部１１１，１１４からの分散挟圧によって対象物１２０を挟み留めるための挟持力を分散させるので、対象物１２０が薄いものから厚いものであっても、つまり対象物１２０の厚さに関わらず挟持力を略一定に保つことができるためである。
【００５１】
また、脚部１１３の背面側には、脚部１１２側に突出した突出部１１３ｂが形成されている（図１２（ａ））。図１２（ａ）に示すクリップ１１０では、対象物１２０は、クリップ開口１１６付近で脚部１１３上の突出部１１３ｂの支持点Ｐ１、突出部１１３ｂ近傍の脚部１１２上の支持点Ｐ２、屈曲部１１４ｂに対向する脚部１１３上の支持点Ｐ３及び屈曲部１１４ａ近傍の支持点Ｐ４で支持される。なお、本実施形態では、脚部１１３の開放端部近傍に突出部１１３ｂが形成されているが、複数の付勢部１１１，１１４により分散狭圧されるものであれば、突出部１１３ｂの数、構成及び形成位置はこの構成に限定されるものではなく、例えば、突出部１１３ｂを屈曲部１１４ａ，１１４ｂに対峙する位置に形成してもよい。さらに、図１２（ｂ）に示すように、対象物１２０が比較的厚いもの（脚部１１３と屈曲部１１４ｂとの間隔以上）の場合には、複数の支持点を設けない構成も可能である。
【００５２】
次に、図１３を用いて、クリップ１１０の作用について説明する。ここでは、図１２（ａ）に示すクリップ１１０を用いて、イヤホンコード（紐状部材）１２１を保持するクリップ１１０を対象物１２０であるシャツ等の衣服に装着する場合を例に説明する。
【００５３】
まず、クリップ開口１１６を形成する脚部１１２，１１３の先端部を拡開させ、イヤホンコード１２１を脚部１１２，１１３間に入り込ませる。次に、屈曲部１１４ａ，１１４ｂ間からイヤホンコード１２１を押し入れ、その押圧力により屈曲部１１４ａ，１１４ｂが互いに離間する方向に撓ませて、保持空間Ｓ１内にイヤホンコード１２１を入り込ませる。イヤホンコード１２１が保持空間Ｓ１内に完全に入り込むと、外方に撓んだ屈曲部１１４ａ，１１４ｂは、保持空間Ｓ１の内径より幅狭となる初期位置に復帰する。これにより、イヤホンコード１２１を、保持空間Ｓ１から保持空間Ｓ１外に容易に脱落することなく脚部１１２の幅方向に挿通可能に保持することができ、イヤホンコード１２１の絡みを防止することができる。そして、このイヤホンコード１２１が保持された状態で、装着者はイヤホンを耳に装着し、クリップ１１０の対象物１２０への装着位置を考慮しながら、クリップ１１０及びイヤホンコード１２１を相対移動させて、所望の保持位置（例えば、イヤホンコード１２１が弛まない位置）に調整する。このイヤホンコード１２１に対するクリップ１１０の保持位置が確定した状態で、クリップ１１０を所望の装着位置（例えば、シャツ１２０の前立て部分）に移動させ、脚部１１３の正面部１１３ａを前面側に向け、一対の脚部１１２，１１３の先端部側をシャツ１２０の前立て部分に差し入れる。このとき、２つのバネ付勢部１１１，１１４が協働して、一対の脚部１１２，１１３を閉じる方向に付勢するので、シャツ１２０が両脚部１１２，１１３上の複数の支持点に対して付勢されて支持される。ここでは、シャツ１２０は、クリップ開口１１６付近で脚部１１３上の突出部１１３ｂの支持点Ｐ１、突出部１１３ｂ近傍の脚部１１２上の支持点Ｐ２、屈曲部１１４ｂに対向する脚部１１３上の支持点Ｐ３及び屈曲部１１４ａ近傍の支持点Ｐ４で支持される。これにより、所望の装着位置において、イヤホンコード１２１を保持したクリップ１１０をシャツ１２０に確実に挟み留めることができる。
【００５４】
以上のように、本実施形態のクリップ１１０によれば、イヤホンコード等の紐状部材１２１を保持空間Ｓ１内から脱落させることなく当該保持空間Ｓ１内で挿通自在に保持するので、クリップ１１０を対象物１２０に装着した際のイヤホンコード１２１の絡みを防止することができる。また、クリップ１１０の装着の際に、正面側に配置される脚部１１３を任意の形状に形成可能にすると共に装飾可能に構成したので、クリップ１１０を対象物１２０に装着した際の意匠性を向上させることができる。さらに、紐状部材１２１が保持されたクリップ１１０を、２つの付勢部１１１，１１４からの分散挟圧によって対象物１２０を一定の圧力で挟み留めるので、対象物１２０の厚みに関わらず、クリップ１１０を対象物１２０の任意の位置に挟み留めることができる。
【００５５】
本実施形態に係るクリップ１１０は、挟み留めるべき対象物１２０を複数の付勢部１１１，１１４からの分散挟圧によって抜き差し自在に挟み留めると共に、一方の付勢部１１４で紐状部材１２１を保持することを特徴とする。すなわち、クリップ１１０は、弾性材料からなる板材を折り返すことにより形成されるクリップ本体と、クリップ本体を形成すると共に付勢部によって閉じる方向に付勢される拡開可能な一対の脚部１１２，１１３と、を備え、付勢部は、脚部１１２の一部を略輪状に湾曲形成して成るバネ力を付与する第１のバネ付勢部１１４と、クリップ本体の折り返し部１１１によって形成されるバネ力を付与する第２のバネ付勢部１１１と、第１のバネ付勢部１１４を形成する湾曲部１１４ｃ内部で紐状部材１２１を脚部１１２の幅方向に挿通自在に保持する保持手段と、を有し、第１および第２のバネ付勢部１１１，１１４によって一対の脚部１１２，１１３を閉じる方向に付勢して対象物１２０を付勢支持すると共に、保持手段によって湾曲部１１４ｃ内部から脱落しないように紐状部材１２１を弾性保持するものを含む。
【００５６】
なお、本発明は、前述した実施形態に限定されず、その要旨を逸脱しない範囲で種々変形して実施できることは言うまでもない。例えば、前述した実施形態では、挟み留められるべき対象物が紙、ファイル、衣服等の布や合成繊維であったが、本発明のクリップによって挟み留められるべき対象物としては、それ以外に、ペンや、建設作業現場などで使用されるメジャー（スケール）などが挙げられる。
【符号の説明】
【００５７】
１，３０，５０，７０，９０，１１０  クリップ
２，３，３２，３３，５２，５３，９２，９３，１１２，１１３  脚部
４，５，３４，３５，５４，５５，９４，９５，１１１，１１４  付勢部
２０，４０，６０，１００，１２０  対象物
１１４ａ，１１４ｂ  屈曲部
１１４ｃ  湾曲部
１１４ｄ  内面部
１２１  紐状部材
Ｐ１，Ｐ２，Ｐ３，Ｐ４  支持点
【図１】
2011033184.tif 000003
【図２】
2011033184.tif 000004
【図３】
2011033184.tif 000005
【図４】
2011033184.tif 000006
【図５】
2011033184.tif 000007
【図６】
2011033184.tif 000008
【図７】
2011033184.tif 000009
【図８】
2011033184.tif 000010
【図９】
2011033184.tif 000011
【図１０】
2011033184.tif 000012
【図１１】
2011033184.tif 000013
【図１２】
2011033184.tif 000014
【図１３】
2011033184.tif 000015